(57)【要約】【課題】ロック解除機能を備えた携帯端末において、ロック解除に伴う電力消費を抑制して、連続使用可能時間を長時間化する。【解決手段】携帯端末は、バッテリと、各々がバッテリから電力の供給を受けて動作する複数の装置と、プロセッサとを備える。プロセッサは、複数の装置の少なくとも１つを用いてロック解除を実行するように構成される。携帯端末は、ロック解除のための電力消費量が互いに異なる複数のロック解除方式を使用可能に構成される。プロセッサは、バッテリの残量に基づいて、複数のロック解除方式を、電力消費量が大きいものから順に選択的に無効にするように構成される。【選択図】図６
2017152947.tif 000002
【特許請求の範囲】
【請求項１】
操作を制限するロック状態を解除するロック解除機能を備えた携帯端末であって、
バッテリと、
各々が前記バッテリから電力の供給を受けて動作する複数の装置と、
前記複数の装置の少なくとも１つを用いてロック解除を実行するように構成されたプロセッサとを備え、
前記携帯端末は、前記ロック解除のための電力消費量が互いに異なる複数のロック解除方式を使用可能に構成され、
前記プロセッサは、前記バッテリの残量に基づいて、前記複数のロック解除方式の各々について有効および無効を設定する、携帯端末。
【請求項２】
前記プロセッサは、前記バッテリの残量に基づいて、前記複数のロック解除方式を、前記電力消費量が大きいものから順に選択的に無効にする、請求項１に記載の携帯端末。
【請求項３】
前記複数の装置は、ディスプレイを含み、
前記プロセッサは、前記ロック解除のための操作を受け付けるときには、少なくとも無効にされた前記ロック解除方式を示す情報を前記ディスプレイに表示する、請求項１または２に記載の携帯端末。
【請求項４】
前記プロセッサは、前記ロック解除のための操作を受け付けるときには、無効にされた前記ロック解除方式以外の前記ロック解除方式をユーザに選択させるための選択画面を、前記ディスプレイに表示する、請求項３に記載の携帯端末。
【請求項５】
前記複数のロック解除方式のうちの第１のロック解除方式による前記ロック解除が実行されている場合において、前記第１のロック解除方式が無効にされた後は、前記プロセッサは、前記第１のロック解除方式よりも前記電力消費量が小さい前記第２のロック解除方式による前記ロック解除を実行する、請求項３に記載の携帯端末。
【請求項６】
前記第２のロック解除方式は、前記第１のロック解除方式の次に電力消費量が大きい、請求項５に記載の携帯端末。
【請求項７】
前記第２のロック解除方式は、前記第１のロック解除方式を除いた残りの前記ロック解除方式のうち、セキュリティ強度が最も高い、請求項５に記載の携帯端末。
【請求項８】
前記第２のロック解除方式は、前記第１のロック解除方式を除いた残りの前記ロック解除方式のうち、電力消費量が最も小さい、請求項５に記載の携帯端末。
【請求項９】
前記携帯端末は、省電力およびセキュリティのいずれを優先するかを設定可能に構成され、
前記省電力を優先する設定がなされたとき、前記プロセッサは、前記バッテリの残量に基づいて、前記複数のロック解除方式を、前記電力消費量が大きいものから順に選択的に無効にする、請求項１〜８のいずれか１項に記載の携帯端末。
【請求項１０】
前記セキュリティを優先する設定がなされたとき、前記プロセッサは、ユーザが選択した前記ロック解除方式による前記ロック解除を実行する、請求項９に記載の携帯端末。
【請求項１１】
前記バッテリが充電中のときには、前記プロセッサは、前記複数のロック解除方式を全て有効にする、請求項１〜１０のいずれか１項に記載の携帯端末。
【発明の詳細な説明】
【技術分野】
【０００１】
本開示は、ロック解除機能を備えた携帯端末に関する。
【背景技術】
【０００２】
近年、ロック解除機能を備えた携帯端末が普及している。ロック解除機能とは、操作画面のロック状態を解除する操作を受け付けることで携帯端末のユーザを認証するものであり、第三者による携帯端末の無断使用を抑止する。
【０００３】
ロック解除方式は、第三者によるなりすましの認証を防ぐためにセキュリティの強度に留意しつつ、ロック解除の操作性を考慮して、様々な技術が実用化されている。例えば、ロック解除方式には、ユーザの顔画像を撮影することで認証する顔認証、ユーザの指紋を認証する指紋認証、ユーザの音声入力を受け付けて認証する音声認証、パスワードの入力を受け付けて認証するパスワード認証、画面に表示されるパターン画像をユーザがタッチ操作でなぞる軌跡に基づいて認証するパターン認証などがある。ユーザは、通常、これら複数のロック解除方式から、使用したいロック解除方式を自在に選択することができる。
【先行技術文献】
【特許文献】
【０００４】
【特許文献１】特開２０１３−２５１８９８号公報
【特許文献２】特開２０１４−７８９４０号公報
【特許文献３】特開２０１０−１３０２５２号公報
【特許文献４】特開２０１４−１９１６５３号公報
【発明の概要】
【発明が解決しようとする課題】
【０００５】
しかしながら、ロック解除方式は、一般的に、セキュリティ強度が高くなるに従って、ユーザの認証に使用されるデバイスの動作が複雑化するため、ロック解除による電力消費量が増える傾向にある。そのため、ロック解除方式によっては、ロック解除をするごとにバッテリの電力消費が促進されてしまい、結果的に携帯端末の連続使用可能時間が短くなるという問題が生じ得る。
【０００６】
それゆえに、本開示の目的は、ロック解除機能を備えた携帯端末において、ロック解除に伴う電力消費を抑制して、連続使用可能時間を長時間化することである。
【課題を解決するための手段】
【０００７】
一実施の形態の携帯端末は、操作を制限するロック状態を解除するロック解除機能を備えた携帯端末である。携帯端末は、バッテリと、各々がバッテリから電力の供給を受けて動作する複数の装置と、プロセッサとを備える。プロセッサは、複数の装置の少なくとも１つを用いてロック解除を実行するように構成される。携帯端末は、ロック解除のための電力消費量が互いに異なる複数のロック解除方式を使用可能に構成される。プロセッサは、バッテリの残量に基づいて、複数のロック解除方式の各々について有効および無効を設定するように構成される。
【発明の効果】
【０００８】
一実施の形態によれば、ロック解除に伴う電力消費を抑制して、携帯端末の連続使用可能時間を長時間化することができる。
【図面の簡単な説明】
【０００９】
【図１】第１の実施の形態の携帯端末の外観の一例を示す平面図である。
【図２】携帯端末の構成の一例を示すブロック図である。
【図３】携帯端末が有するロック解除機能を説明する図である。
【図４】ロック解除機能を有効に設定するときの操作画面の遷移の一例を示す図である。
【図５】携帯端末の制御構成の一例を示すブロック図である。
【図６】解除方式設定部が実行する無効処理を説明する図である。
【図７】携帯端末における無効処理を説明するフローチャートである。
【図８】ロック解除方式を変更するときの操作画面の遷移の一例を示す図である。
【図９】携帯端末におけるロック解除処理を説明するフローチャートである。
【図１０】第２の実施の形態の携帯端末がロック解除方式を自動的に変更するときの操作画面の遷移の一例を示す図である。
【図１１】第２の実施の形態の携帯端末におけるロック解除処理を説明するフローチャートである。
【図１２】第２の実施の形態の携帯端末がロック解除方式を自動的に変更するときの操作画面の遷移の他の例を示す図である。
【図１３】第２の実施の形態の携帯端末がロック解除方式を自動的に変更するときの操作画面の遷移の他の例を示す図である。
【図１４】第３の実施の形態の携帯端末における無効処理を説明するフローチャートである。
【発明を実施するための形態】
【００１０】
以下、実施の形態について図面を用いて説明する。
［第１の実施の形態］
（携帯端末のハードウェア構成）
図１は、第１の実施の形態の携帯端末１の外観の一例を示す平面図である。図１は、携帯端末１の筐体のディスプレイ２が配置される面を示している。図２は、携帯端末１の構成の一例を示すブロック図である。以下、携帯端末１の一実施の形態として、スマートフォンを想定するが、携帯電話、ＰＤＡ（Personal  Digital  Assistant）、タブレットＰＣ（Tablet  PC）などの携帯端末であってもよい。
【００１１】
図１および図２を参照して、携帯端末１は、ディスプレイ２と、タッチパネル３と、物理操作キー４と、カメラ５と、マイク６と、スピーカ７と、指紋認証センサ８とを備える。携帯端末１はさらに、プロセッサ１０と、アンテナ１１と、無線通信回路１２と、メモリ１３と、電源制御部１４と、バッテリ１５と、ＧＰＳ受信機１６と、近距離無線通信回路１７と、音声処理回路１８とを備える。各構成要素はデータバス（図示せず）によって相互に接続されている。
【００１２】
プロセッサ１０は、たとえば、ＣＰＵ（Central  Processing  Unit）およびＤＳＰ（Digital  Signal  Processor）などを含む。プロセッサ１０は、メモリ１３に記憶される制御プログラムを読み込んで、制御プログラムを実行することにより、携帯端末１の動作を制御することができる。プロセッサ１０は、携帯端末１の各部を統括的に制御する制御部を構成する。プロセッサ１０の主な制御構成については、後述する。
【００１３】
メモリ１３は、携帯端末１の各部を制御するための制御プログラムを不揮発的に記憶する制御プログラム記憶部１３０を含む。メモリ１３は、プロセッサ１０によるプログラムの実行により生成されたデータ、または入力されたデータを揮発的に記憶することができる。
【００１４】
ディスプレイ２は、たとえばＬＣＤ（Liquid  Crystal  Display）または有機ＥＬ（Electro-Luminescence）ディスプレイによって構成されることができる。
【００１５】
タッチパネル３は、ユーザの入力操作を受け付けることができる。タッチパネル３は、たとえば静電容量式のものであり、ユーザの接触位置を検出することができる。タッチパネル３は、検出したユーザの接触位置を示す信号をプロセッサ１０へ出力することができる。たとえば、ディスプレイ２、タッチパネル３およびカバーガラスが積層されて、携帯端末１の筐体に嵌め込まれ得る。これに限らず、タッチパネル機能を内蔵するディスプレイを使用してもよいし、タッチパネルとカバーガラスとが一体となったものを使用してもよい。
【００１６】
物理操作キー４は、物理的な入力装置であり、ユーザによる押圧操作を受け付けることができる。物理操作キー４は、ユーザの押圧操作に応じて、操作内容を示す信号をプロセッサ１０に出力することができる。物理操作キー４の数は、図１に示した数に限らず、複数あってもよい。また、物理操作キー４の筐体における配置も図１に示したものに限らず、たとえば、筐体の側面に配置されていてもよい。
【００１７】
カメラ５は、被写体を撮影することができる。カメラ５は、たとえばユーザが顔認証によりロック解除を行なう際、ユーザの顔を撮影するために用いられ得る。
【００１８】
マイク６は、音声入力を受け付けて、音声入力に対応する音声信号を音声処理回路１８に与えることができる。スピーカ７は、音声処理回路１８から与えられる音声信号を音声に変換してその音声を携帯端末１の外部へ出力することができる。
【００１９】
音声処理回路１８は、マイク６から与えられる音声信号を変調して、変調した信号をプロセッサ１０へ出力することができる。音声処理回路１８は、音声信号をスピーカ７に与えることができる。
【００２０】
指紋認証センサ８は、ユーザが指紋認証によりロックを解除する際、ユーザの指紋を認識するためのセンサである。指紋認証センサ８は、たとえばユーザによる押下操作を受け付けることができる。
【００２１】
アンテナ１１は、携帯端末１が発生する信号を電波として放射することができる。アンテナ１１は、空間から電波を受信して受信信号を無線通信回路１２へ与えることができる。
【００２２】
無線通信回路１２は、携帯端末１が他の無線機器と通信するため、アンテナ１１を介して信号を送受信するための変復調処理を行なうことができる。無線通信回路１２は、携帯端末１が送受信する無線信号の変復調および周波数変換を行ない、受信信号をプロセッサ１０へ与えることができる。
【００２３】
バッテリ１５は、携帯端末１の各部を動作させるための電力を供給することができる。バッテリ１５は、充放電可能な電力貯蔵要素であり、たとえばリチウムイオン電池またはニッケル水素電池などの二次電池で構成されることができる。
【００２４】
電源制御部１４は、バッテリ１５から携帯端末１の各部に対する電力の供給を制御することができる。電源制御部１４は、バッテリ１５の電圧、電流および温度などに基づいて、バッテリ１５の残量を検出することができる。電源制御部１４は、検出したバッテリ残量を示す信号をプロセッサ１０へ出力する。
【００２５】
ＧＰＳ受信機１６は、衛星測位システムで用いられる受信器である。衛星測位システムでは、少なくとも３個または４個の衛星からの信号を受信し、受信した信号に基づいて、ＧＰＳ受信機１６が搭載される携帯端末１の現在位置を検出することができる。
【００２６】
近距離無線通信回路１７は、ウェアラブル機器などの他の装置と近距離無線通信することができる。近距離無線通信方式は、たとえば、Ｂｌｕｅｔｏｏｔｈ（登録商標）方式、ＤＥＣＴ（Digital  Enhanced  Cordless  Telecommunication）方式、ＤＲＳＣ（Dedicated  Short  Range  Communications）方式、ＩＢｅａｃｏｎ方式、ＩｒＤＡ方式、ＮＦＣ（Near  Field  Communication）方式、ＴｒａｎｓｆｅｒＪｅｔ方式、ＷｉＭｅｄｉａ  Ａｌｌｉａｎｃｅ方式、ＺｉｇＢｅｅ方式、Ｗｉ−Ｆｉ方式を含む。
【００２７】
（ロック解除機能）
次に、図３を参照して、携帯端末１が有するロック解除機能について説明する。
【００２８】
図３には、携帯端末１が使用することができる複数のロック解除方式が示されている。携帯端末１は、たとえば１０種類のロック解除方式を使用することができる。これら１０種類のロック解除方式は、ロック解除のための電力消費量が互いに異なっている。
【００２９】
図３では、ロック解除方式ごとに、ロック解除に使用されるデバイス、およびロック解除のための電力消費量が表示されている。なお、電力消費量は１０段階（レベル１〜１０）で表示されている。図３にはさらに、ロック解除方式ごとのセキュリティ強度が４段階（最弱、弱、中、強）で表示されている。なお、ロック解除方式ごとの電力消費量は、一般的に、携帯端末に搭載されるデバイスによって決まるため、図３に示されるレベルに限定されるものではない。また、携帯端末が使用可能なロック解除方式は、その携帯端末が有する機能に依存するため、図３に示されるロック解除方式に限定されるものではない。
【００３０】
「物理操作」とは、画面ロック中に物理操作キー４の押圧操作を受け付けたことに応答してロックを解除する方式である。物理操作では、携帯端末１が低消費電力の状態（いわゆるスリープ状態）であるときに、物理操作キー４からの信号をプロセッサ１０が受け付けると、プロセッサ１０は、携帯端末１への操作受付の制限を解除し、ロックを解除することができる。ロックを解除すると、プロセッサ１０は、たとえばロック状態に遷移する前に操作されていた画面（もしくは、ホーム画面）をディスプレイ２に表示させることができる。
【００３１】
なお、「画面ロック」とは、操作画面がロックされている状態をいい、この状態では、携帯端末１の操作受付が制限される。画面ロック中にロック状態を解除する操作を受け付け、この操作によりユーザの認証が成功すると、他の画面に遷移することができる。
【００３２】
「スワイプ操作」とは、画面ロック中にタッチパネル３がスワイプ操作を受け付けたことに応答してロックを解除する方式である。スワイプ操作とは、タッチパネル３の表面に指を接触させたまま任意の方向へ移動させた後、タッチパネル３の表面から指を離す操作である。なお、スワイプ操作には、ディスプレイ２に表示されたオブジェクトに指を触れ、オブジェクトを移動させるスワイプ操作、いわゆるドラッグ操作も含まれる。
【００３３】
プロセッサ１０は、携帯端末１がスリープ状態のときに、予め決められた操作、たとえば画面の表示をオフからオンにする操作をユーザから受け付けると、スワイプ操作の受付画面をディスプレイ２に表示させることができる。プロセッサ１０は、スワイプ操作を受け付けると、ロックを解除することができる。
【００３４】
「ＮＦＣ認証」とは、信頼できるデバイスとしてユーザが指定したＮＦＣタグが携帯端末１に接近して通信可能となった場合（典型的には両者の距離が十数センチ以下となった場合）に、ロックを解除する方式である。ＮＦＣ認証では、近距離無線通信回路１７は、信頼済みデバイスであるＮＦＣタグと通信可能になったことを示す信号をプロセッサ１０へ出力することができる。プロセッサ１０は、近距離無線通信回路１７からの信号を受け付けると、ロックを解除することができる。
【００３５】
「Ｂｌｕｅｔｏｏｔｈ認証」とは、信頼できるデバイスとしてユーザが指定したＢｌｕｅｔｏｏｔｈ機器が携帯端末１に近接して通信可能となった場合に、ロックを解除する方式である。Ｂｌｕｅｔｏｏｔｈ認証では、上記のＮＦＣ認証と同様、プロセッサ１０は、近距離無線通信回路１７からＢｌｕｅｔｏｏｔｈ機器と通信可能になったことを示す信号を受け付けると、ロックを解除することができる。
【００３６】
「位置認証」とは、信頼できる場所としてユーザが指定した場所に携帯端末１が位置している場合に、ロックを解除する方式である。位置認証では、プロセッサ１０は、ＧＰＳ受信機１６により検出された携帯端末１の現在位置が、信頼できる場所に一致すると判断されると、ロックを解除することができる。
【００３７】
「音声認証」とは、画面ロック中にマイク６を介して受け付けた音声入力と、ユーザが予め登録したユーザの音声とが一致したときに、ロックを解除する方式である。音声認証では、画面ロック中、音声処理回路１８はマイク６から与えられる音声信号をプロセッサ１０へ出力することができる。プロセッサ１０は、音声処理回路１８からの音声信号と、メモリ１３に記憶される登録済みの音声とが一致するか否かを判定することができる。プロセッサ１０は、両音声が一致するとき、正当なユーザによるロック解除の操作が行なわれたと認証してロックを解除することができる。
【００３８】
「指紋認証」とは、画面ロック中に指紋認証センサ８によってユーザの指紋を読み取り、読み取った指紋と、ユーザが予め登録したユーザの指紋とが一致したときに、ロックを解除する方式である。指紋認証では、画面ロック中、指紋認証センサ８は、ユーザによる押圧操作を受け付けると、ユーザの指の指紋を検出することができる。プロセッサ１０は、指紋認証センサ８により検出された指紋と、メモリ１３に記憶される登録済みの指紋とが一致するか否かを判定することができる。プロセッサ１０は、両指紋が一致するとき、正当なユーザによるロック解除の操作が行なわれたと認証してロックを解除することができる。
【００３９】
「パスワード認証」とは、画面ロック中に携帯端末１が受け付けたパスワードと、ユーザが予め登録したロック解除用のパスワードとが一致したときに、ロックを解除する方式である。パスワードは、たとえば４桁（または４桁以上）の数字であるＰＩＮコード、および複数の文字および数字を組み合わせであるパスワードなどを含むことができる。
【００４０】
パスワード認証では、携帯端末１がスリープ状態のときに、予め決められた操作を受け付けると、プロセッサ１０は、パスワードの受付画面をディスプレイ２に表示させることができる。プロセッサ１０は、パスワードの入力を受け付けると、受け付けたパスワードと、メモリ１３に記憶される登録済みのパスワードとが一致するか否かを判定することができる。プロセッサ１０は、両パスワードが一致するとき、正当なユーザによるロック解除の操作が行なわれたと認証してロックを解除することができる。
【００４１】
「パターン認証」とは、画面ロック中にディスプレイ２に表示させたパターン画像がなぞられた軌跡と、ユーザが予め登録したロック解除用の軌跡とが一致したときに、ロックを解除する方式である。パターン認証では、携帯端末１がスリープ状態のときに、予め決められた操作を受け付けると、プロセッサ１０は、パターン認証画面をディスプレイ２に表示させることができる。プロセッサ１０は、タッチパネル３によってユーザの操作軌跡を検出すると、検出された操作軌跡と、メモリ１３に記憶される登録軌跡とが一致するか否かを判定することができる。プロセッサ１０は、両軌跡が一致するとき、正当なユーザによるロック解除の操作が行なわれたと認証してロックを解除することができる。
【００４２】
「顔認証」とは、画面ロック中にカメラ５により撮影されたユーザの顔画像と、ユーザが予め登録したユーザの顔画像とが一致したときに、ロックを解除する方式である。顔認証では、画面ロック中、カメラ５はユーザの顔を撮影して顔画像を示す信号をプロセッサ１０へ出力することができる。プロセッサ１０は、カメラ５からの顔画像信号と、メモリ１３に記憶される登録済みの顔画像とが一致するか否かを判定することができる。プロセッサ１０は、両顔画像が一致するとき、正当なユーザによるロック解除の操作が行なわれたと認証してロックを解除することができる。
【００４３】
ここで、上記の１０種類のロック解除方式のうち、物理操作およびスワイプ操作は、ユーザの認証を必要としないため、電力消費量が小さくなる反面、セキュリティ強度が最弱である。
【００４４】
一方、ＮＦＣ認証、Ｂｌｕｅｔｏｏｔｈ認証および位置認証は、物理操作およびスワイプ操作に比べてセキュリティ強度が高くなるが、信頼できるデバイスまたは場所を検出するために使用されるデバイスの電力消費量が大きくなる。
【００４５】
パスワード認証およびパターン認証は、ＮＦＣ認証、Ｂｌｕｅｔｏｏｔｈ認証および位置認証に比べて、セキュリティ強度がさらに高くなる。しかしながら、ディスプレイ２およびタッチパネル３を動作させてユーザを認証するため、電力消費量がさらに大きくなる。
【００４６】
パスワード認証およびパターン認証は、スワイプ操作に比べて電力消費量が大きくなる。これは、パスワード認証およびパターン認証では、通常、タッチパネル３がスワイプ操作を受け付けた後にパスワードまたはパターンの入力を受け付けて認証するため、認証のためのステップが１つ増え、結果的に電力消費量が大きくなることによる。なお、パターン認証がパスワード認証よりも電力消費量が大きくなることは、パスワードの入力画面よりもパターン認証画面の方がディスプレイ２の表示領域が広域となることによる。
【００４７】
音声認証、指紋認証および顔認証についても、パスワード認証およびパターン認証と同様、セキュリティ強度が高いという利点とともに、電力消費量が大きいという欠点を有している。これは、主に、メモリ１３に記憶されている登録済みの音声、指紋および顔画像の情報を読み出すために大きな電力が消費されることによる。特に、顔認証は、カメラ５による撮影が行なわれるため、電力消費量が最大となっている。
【００４８】
このように、セキュリティ強度が高いロック解除方式は、セキュリティ強度が低いロック解除方式に比べて、電力消費量が大きくなる傾向が見られる。したがって、セキュリティ強度の高いロック解除方式を用いてロックを解除するように設定された携帯端末においては、ロック解除のたびにバッテリの電力消費が促進されるため、結果的に連続使用可能時間が短くなってしまう。
【００４９】
第１の実施の形態の携帯端末１は、バッテリ残量に基づいて、携帯端末１が使用することができる複数のロック解除方式を、電力消費量が大きいものから順に選択的に無効にすることができる。このようにすると、無効にされたロック解除方式はその後使用ができなくなるため、ロック解除によるバッテリ１５の電力消費を抑制することができる。よって、携帯端末１の連続使用可能時間を長時間化することができる。
【００５０】
（ロック解除機能の設定）
第１の実施の形態では、ユーザが携帯端末１のロック解除機能を有効に設定する場面において、プロセッサ１０は、ユーザ操作に基づいて、（１）ロック解除モードの設定、（２）ロック解除方式の設定、（３）認証情報の登録を実行することができる。
【００５１】
以下、図４を参照して、上記（１）〜（３）の各処理について説明する。図４は、上記（１）〜（３）の処理が実行されるときの操作画面の遷移を示している。
【００５２】
（１）ロック解除モードの設定
プロセッサ１０は、ロック解除機能を有効にする操作を受け付けると、ロック解除モードを設定するための操作画面（以下、「ロック解除モード設定画面」とも称する。）をディスプレイ２に表示させる。
【００５３】
図４（１）は、ロック解除モード設定画面の表示例を示す。第１の実施の形態では、ロック解除モード設定画面は、ロック解除モードとして、「セキュリティ優先モード」および「省電力優先モード」の選択を受け付けることができる。
【００５４】
「セキュリティ優先モード」は、複数のロック解除方式のうち、ユーザが選択したロック解除方式を用いてロックを解除するモードである。セキュリティ優先モードでは、バッテリ残量の大小に拘らず、ユーザが選択したロック解除方式が用いられる。したがって、セキュリティ優先モードでは、プロセッサ１０は、ロック解除方式を選択的に無効にすることなく、全てのロック解除方式を有効に保つことができる。その結果、セキュリティ強度の高いロック解除方式をユーザが選択した場合、バッテリ残量が低下しても、選択したロック解除方式を使用し続けることができるため、セキュリティ強度を保つことができる。ただし、バッテリ１５の電力消費が促進される可能性がある。
【００５５】
「省電力優先モード」は、上記のセキュリティ優先モードに比べて電力消費を制限してロックを解除するモードである。省電力優先モードでは、バッテリ残量に基づいて、各ロック解除方式について有効および無効を設定することができる。たとえば、バッテリ残量が低下すると、プロセッサ１０は、電力消費量が大きいロック解除方式から順に無効にすることができる。そのため、ユーザがセキュリティ強度の高いロック解除方式を選択した場合において、バッテリ残量が低下すると、選択したロック解除方式が無効にされることがある。したがって、ロック解除方式を、より電力消費量が小さいものに変更する必要が生じる。なお、通信機能や表示機能を制限することにより携帯端末の電力消費を抑える省電力モードにおいては、自動的に省電力優先モードが設定されてもよい。
【００５６】
このようにして、省電力優先モードでは、バッテリ残量に応じて複数のロック解除方式を切り替えて使用することができる。これによれば、バッテリ残量の低下に従って電力消費量の小さいロック解除方法が使用されるため、ロック解除のための電力消費量が低減する。この結果、セキュリティ強度が低下する場合が生じ得るものの、バッテリ１５の電力消費を抑制することができる。
【００５７】
（２）ロック解除方式の設定
図４（１）に示すロック解除モード設定画面上でロック解除モードを設定する操作を受け付けると、プロセッサ１０は、ロック解除に用いるロック解除方式を設定するための操作画面（以下、「ロック解除方式設定画面」とも称する。）をディスプレイ２に表示させることができる。
【００５８】
図４（２−１）は、携帯端末１がセキュリティ優先モードに設定された場合のロック解除方式設定画面の表示例を示す。ロック解除方式設定画面には、携帯端末１が使用可能な複数のロック解除方式が並べて表示される。セキュリティ優先モードでは、ユーザは、表示された複数のロック解除方式のうち、いずれか１つのロック解除方式を選択することができる。なお、図４（２−１）の表示例は、ロック解除方式として指紋認証が選択されたことを示している。
【００５９】
図４（２−２）は、携帯端末１が省電力優先モードに設定された場合のロック解除方式設定画面の表示例を示す。ロック解除方式設定画面には、各ロック解除方式に対応付けて電力消費量が表示されている。電力消費量は、たとえば１０段階で表示することができる。複数のロック解除方式は、たとえば電力消費量が大きい順に並べて表示することができる。
【００６０】
省電力優先モードでは、ユーザは、表示された複数のロック解除方式のうち、２以上のロック解除方式を選択することができる。図４（２−２）の表示例は、ロック解除方式として、スワイプ操作、位置認証、音声認証、指紋認証、パスワード認証、パターン認証、および顔認証の計７種類のロック解除方式が選択されたことを示している。
【００６１】
（３）認証情報の登録
図４（２−１）または（２−２）に示すロック解除方式設定画面上でロック解除方式を設定する操作を受け付けると、プロセッサ１０は、認証情報の登録を受け付けるための操作画面（以下、「認証情報登録画面」とも称する。）をディスプレイ２に表示させることができる。
【００６２】
認証情報は、ユーザが設定したロック解除方式においてユーザを認証するために用いられるデータである。具体的には、ＮＦＣ認証およびＢｌｕｅｔｏｏｔｈ認証における認証情報は、信頼できるデバイスであるＮＦＣタグおよびＢｌｕｅｔｏｏｔｈ機器のＩＤを示すデータである。位置認証における認証情報は、信頼できる場所の位置を示すデータである。音声認証における認証情報は、ユーザの音声を示すデータである。指紋認証における認証情報は、ユーザの指紋を示すデータである。パスワード認証における認証情報は、ロック解除用のパスワードであり、パターン認証における認証情報は、ロック解除用の軌跡である。顔認証における認証情報は、ユーザの顔画像を示すデータである。
【００６３】
図４（３−１）は、セキュリティ優先モードのロック解除方式が指紋認証に設定された場合の認証情報登録画面の表示例を示す。プロセッサ１０は、ロック解除方式が指紋認証に設定された旨をディスプレイ２に表示させることができる。ユーザの指紋が未登録である場合には、プロセッサ１０はさらに、ユーザの指紋の登録を受け付けるための認証情報登録画面をディスプレイ２に表示させることができる。指紋認証センサ８を介して指紋の入力を受け付けると、プロセッサ１０は、受け付けた指紋を示すデータを認証情報としてメモリ１３に格納することができる。
【００６４】
なお、図４の例では、セキュリティ優先モードにおいて、ユーザは、複数のロック解除方式のうち、いずれか１つのロック解除方式を選択できる構成について説明したが、顔認証およびパスワード認証のように、複数のロック解除方式を選択できるようにしてもよい。その場合、携帯端末１は、選択された複数のロック解除方式を同時に受け付け可能とし、ユーザがいずれか１つのロック解除方式を用いてユーザ認証が成功すれば、ロックを解除するように構成してもよい。
【００６５】
図４（３−２）は、省電力優先モードのロック解除方式が、計７種類のロック解除方式に設定された場合の認証情報登録画面の表示例を示す。プロセッサ１０は、スワイプ操作を除く計６種類のロック解除方式にそれぞれ対応付けられた６枚の認証登録画面を、１つずつ順番にディスプレイ２に表示させることができる。このとき、プロセッサ１０は、認証情報を登録済みであるロック解除方式については、認証登録画面の表示をスキップさせることができる。タッチパネル３、カメラ５、マイク６および指紋認証センサ８などを介してデータの入力を受け付けると、プロセッサ１０は、受け付けたデータを認証情報としてメモリ１３に格納することができる。
【００６６】
（携帯端末の制御構成）
次に、図５を参照して、ロック解除処理を実行するための制御構成について説明する。
【００６７】
図５は、携帯端末１の制御構成の一例を示すブロック図である。図５を参照して、携帯端末１は、電源制御部１４と、メモリ１３と、解除方式設定部１０１と、ロック解除部１０２と、メモリ１３とを備える。図５に示す制御構成は、基本的には、携帯端末１のプロセッサ１０が制御プログラム記憶部１３０に記憶された制御プログラムを実行し、携帯端末１の構成要素へ指示を与えることによって実現され得る。プロセッサ１０は、制御プログラムに従って動作することにより、解除方式設定部１０１およびロック解除部１０２としての機能を発揮する。
【００６８】
電源制御部１４は、バッテリ１５の残量を検出し、検出したバッテリ残量を示す信号を解除方式設定部１０１へ出力することができる。
【００６９】
メモリ１３は、解除モード情報１３１、解除方式情報１３２、および認証情報１３３を不揮発的に記憶することができる。解除モード情報１３１は、上記（１）ロック解除モードの設定にて携帯端末１がセキュリティ優先モードおよび省電力優先モードのいずれに設定されたかを示すデータを含む。解除方式情報１３２は、携帯端末１が使用することができる複数のロック解除方式を示すデータ、および上記（２）ロック解除方式の設定において設定されたロック解除方式を示すデータを含む。なお、複数のロック解除方式を示すデータは、ロック解除方式ごとの電力消費量およびセキュリティ強度を示すデータを含む。認証情報１３３は、上記（３）認証情報の登録において登録された、ロック解除方式ごとのユーザ認証用のデータを含む。
【００７０】
解除方式設定部１０１は、携帯端末１が予め決められた操作、たとえば画面の表示をオフからオンにする操作を受け付けると、解除モード情報１３１、解除方式情報１３２、電源制御部１４からのバッテリ残量、およびユーザ操作に基づいて、ロック解除に用いるロック解除方式を設定することができる。
【００７１】
ロック解除部１０２は、解除方式設定部１０１により設定されたロック解除方式を用いてロックを解除することができる。
【００７２】
（ロック解除方式の無効処理）
上記制御構成において、携帯端末１が省電力優先モードに設定されている場合、解除方式設定部１０１は、バッテリ残量に基づいて、複数のロック解除方式を選択的に無効にする無効処理を実行することができる。
【００７３】
以下、図６および図７を参照して、解除方式設定部１０１が実行する無効処理について説明する。
【００７４】
図６の上部には、バッテリ１５の残量の時間的変化の一例が示されている。図６では、バッテリ残量は、バッテリ１５の満充電容量に対する、現在の充電容量の割合（百分率）で表されている。図６は、バッテリ残量が満充電状態（１００％）から低下していく様子を示している。
【００７５】
図６の下部には、携帯端末１が使用することができる複数のロック解除方式が例示されている。図６では、複数のロック解除方式の各々について、電力消費量が１０段階で示されるとともに、ロック解除方式が有効であるか無効であるかが示されている。なお、図６において、丸印はロック解除機能が有効であることを示し、バツ印はロック解除機能が無効であることを示している。
【００７６】
バッテリ残量が１００％のとき、全てのロック解除方式が有効にされている。バッテリ残量が１００％から低下してＸ１％未満になると、電力消費量が最も大きい顔認証が無効にされる。バッテリ残量がＸ１％からさらに低下してＸ２％（Ｘ２＜Ｘ１）未満になると、顔認証の次に電力消費量が大きいパターン認証が無効にされる。続いて、バッテリ残量がＸ３％（Ｘ３＜Ｘ２）未満になると、パターン認証の次に電力消費量が大きいパスワード認証が無効にされる。
【００７７】
このようにすると、バッテリ残量がＸ１％以上１００％以下となる領域１では、全てのロック解除方式を使用することができるが、バッテリ残量がＸ２％以上Ｘ１％未満となる領域２では、顔認証が使用不可となる。バッテリ残量がＸ３％以上Ｘ２％未満となる領域３では、顔認証およびパターン認証が使用不可となる。バッテリ残量がＸ４％以上Ｘ３％未満となる領域４では、顔認証、パターン認証およびパスワード認証が使用不可となる。バッテリ残量がＸ５％以上Ｘ４％未満となる領域５では、顔認証、パターン認証、パスワード認証および指紋認証が使用不可となる。
【００７８】
なお、図６に示すバッテリ残量とロック解除方式の有効／無効との関係は、バッテリ残量に基づいて算出される最大許容電力消費量と、各ロック状態方式の電力消費量とを比較することによって求めることができる。最大許容電力消費量とは、携帯端末１がロック解除のために消費することができる最大電力消費量である。バッテリ残量が低下すると、最大許容電力消費量も低下する。解除方式設定部１０１は、複数のロック解除方式のうち、電力消費量が最大許容電力消費量を超えるロック解除方式を無効にすることができる。その結果、図６に示されるように、電力消費量の大きいロック解除方式から順に無効にされることになる。
【００７９】
解除方式設定部１０１は、図６に示すバッテリ残量とロック解除方式の有効／無効との関係を表すテーブルを有することができる。解除方式設定部１０１は、当該テーブルを参照することにより、電源制御部１４から与えられるバッテリ残量に基づいて、ロック解除方式を選択的に無効にすることができる。
【００８０】
上述した無効処理によれば、バッテリ残量が低下すると、現在使用中のロック解除方式が使用不可になることで、より電力消費量が小さいロック解除方式を用いてロックを解除せざるを得ない状態を発生させることができる。このような状態が発生すると、より電力消費量が小さいロック解除方式に切り替えてロックが解除されるため、バッテリ１５の電力消費を抑制することができる。
【００８１】
図７は、携帯端末１における無効処理を説明するフローチャートである。図７のフローチャートに従う無効処理は、プロセッサ１０によって所定周期毎に繰り返し実行されることができる。
【００８２】
図７を参照して、プロセッサ１０は、ステップＳ０１により、電源制御部１４からバッテリ１５の残量を取得することができる。プロセッサ１０は、ステップＳ０２により、取得したバッテリ残量が閾値Ｘ１％未満であるか否かを判定することができる。バッテリ残量が閾値Ｘ１％以上である場合（Ｓ０２のＮＯ判定時）、プロセッサ１０は処理を終了することができる。
【００８３】
一方、バッテリ残量が閾値Ｘ１％未満である場合（Ｓ０２のＹＥＳ判定時）、プロセッサ１０は、ステップＳ０３に進み、携帯端末１が省電力優先モードに設定されているか否かを判定することができる。携帯端末１が省電力優先モードに設定されていない、すなわち携帯端末１がセキュリティ優先モードに設定されている場合（Ｓ０３のＮＯ判定時）、プロセッサ１０は処理を終了することができる。
【００８４】
これに対して、携帯端末１が省電力優先モードに設定されている場合（Ｓ０３のＹＥＳ判定時）、プロセッサ１０は、ステップＳ０４により、取得したバッテリ残量に基づいて最大許容電力消費量を算出することができる。プロセッサ１０は、ステップＳ０５に進み、ステップＳ０４にて算出された最大許容電力消費量を超えるロック解除方式を無効にすることができる。
【００８５】
なお、図７のステップＳ０４およびＳ０５については、プロセッサ１０は、最大許容電力消費量の算出に代えて、図６のテーブルを参照することで、取得したバッテリ残量に基づいて無効にするロック解除方式を決定することができる。
【００８６】
（ロック解除方式の変更）
省電力優先モードでは、現在使用中のロック解除方式が無効にされると、ロック解除に使用するロック解除方式を、より電力消費量が小さいものに変更する必要が生じる。第１の実施の形態では、解除方式設定部１０１は、ユーザ操作に基づいて、ロック解除方式を変更することができる。
【００８７】
図８は、バッテリ残量に応じてロック解除方式を変更するときの操作画面の遷移の一例を示す図である。図８に示す操作画面の遷移は、図４（２−２）に示したロック解除方式設定画面に対応付けられている。すなわち、省電力優先モードにて使用するロック解除方式として、顔認証、パターン認証、パスワード認証、指紋認証、音声認証、位置認証およびスワイプ操作の計７種類のロック解除方式が予め設定されているものとする。
【００８８】
図８（Ａ）は、バッテリ残量がＸ１％以上１００％以下であるときに、ディスプレイ２に表示される操作画面の一例を示す。解除方式設定部１０１は、携帯端末１がスリープ状態のときに、予め決められた操作をユーザから受け付けると、ロック解除方式を選択するための操作画面（以下、「ロック解除方式選択画面」とも称する。）をディスプレイ２に表示させることができる。
【００８９】
図８（Ａ−１）は、ロック解除方式選択画面の表示例を示す。ロック解除方式選択画面には、計７種類のロック解除方式が並べて表示される。バッテリ残量が図６のテーブルの領域１に属するため、解除方式設定部１０１は、全てのロック解除方式を有効にすることができる。したがって、ユーザは、ロック解除方式選択画面に表示された７種類のロック解除方式のうち、いずれか１つのロック解除方式を選択することができる。
【００９０】
ロック解除方式の選択を受け付けると、解除方式設定部１０１は、選択されたロック解除方式を示す信号をロック解除部１０２へ出力することができる。ロック解除部１０２は、選択されたロック解除方式を用いてロックを解除することができる。たとえば図８（Ａ−１）のロック解除方式選択画面上で顔認証が選択された場合には、図８（Ａ−２）に示すように、ロック解除部１０２は、顔画像の受付画面をディスプレイ２に表示させることができる。
【００９１】
バッテリ残量が図６の領域１に属している間は顔認証が有効であるため、ロック解除部１０２は、顔認証を用いてロックを解除することができる。したがって、解除方式設定部１０１は、予め決められた操作をユーザから受け付けると、図８（Ａ−１）のロック解除方式選択画面の表示をスキップして、図８（Ａ−２）の顔画像の受付画面をディスプレイ２に表示させることができる。
【００９２】
バッテリ残量が低下してＸ１％を下回ると、解除方式設定部１０１は顔認証を無効にすることができる。これにより、現在使用中の顔認証が使用できなくなるため、解除方式設定部１０１は、ユーザに対して、ロック解除方式の変更を要求することができる。具体的には、解除方式設定部１０１は、携帯端末１がスリープ状態のときに、予め決められた操作をユーザから受け付けると、図８（Ｂ−１）のロック解除方式選択画面をディスプレイ２に表示させることができる。
【００９３】
図８（Ｂ−１）は、バッテリ残量がＸ１％を下回ったときに、ディスプレイ２に表示されるロック解除方式選択画面の一例を示す。解除方式設定部１０１は、ロック解除方式選択画面に、顔認証が無効である旨を表示させることができる。解除方式設定部１０１はさらに、タッチパネル３において顔認証に対するユーザの操作入力を拒否することができる。これにより、無効とされた顔認証をユーザが選択できなくすることができる。言い換えれば、ユーザは、顔認証を除いた残りの６種類のロック解除方式のうち、いずれか１つを選択することができる。このようにして、解除方式設定部１０１は、ユーザ操作に基づいて、ロック解除方式を、顔認証よりも電力消費量が小さいロック解除方式へと変更することができる。
【００９４】
図８（Ｂ−２）のロック解除方式選択画面にてロック解除方式の選択を受け付けると、解除方式設定部１０１は、新たに選択されたロック解除方式を示す信号をロック解除部１０２へ出力することができる。ロック解除部１０２は、新たに選択されたロック解除方式を用いてロックを解除することができる。たとえばパスワード認証が新たに選択された場合、図８（Ｂ−２）に示すように、ロック解除部１０２は、パスワードの受付画面をディスプレイ２に表示させることができる。
【００９５】
バッテリ残量が図６の領域２または領域３に属している間はパターン認証が有効であるため、ロック解除部１０２は、パスワード認証を用いてロックを解除することができる。したがって、解除方式設定部１０１は、予め決められた操作をユーザから受け付けると、図８（Ｂ−１）のロック解除方式選択画面の表示をスキップして、図８（Ｂ−２）のパスワードの受付画面をディスプレイ２に表示させることができる。
【００９６】
バッテリ残量が低下してＸ３％を下回ると、解除方式設定部１０１はパスワード認証を無効にすることができる。これにより、現在使用中のパスワード認証が使用できなくなるため、解除方式設定部１０１は、ユーザに対して、ロック解除方式の再度の変更を要求することができる。具体的には、解除方式設定部１０１は、携帯端末１がスリープ状態のときに、予め決められた操作をユーザから受け付けると、図８（Ｃ−１）のロック解除方式選択画面をディスプレイ２に表示させることができる。
【００９７】
図８（Ｃ−１）は、バッテリ残量がＸ３％を下回ったときに、ディスプレイ２に表示されるロック解除方式選択画面の一例を示す。解除方式設定部１０１は、ロック解除方式選択画面に、顔認証、パターン認証およびパスワード認証が無効である旨を表示させることができる。解除方式設定部１０１はさらに、タッチパネル３において顔認証、パターン認証およびパスワード認証に対するユーザの操作入力を拒否することができる。これにより、無効にされた顔認証、パターン認証およびパスワード認証をユーザが選択できなくすることができる。言い換えれば、ユーザは、顔認証、パターン認証およびパスワード認証を除いた残りの４種類のロック解除方式のうち、いずれか１つを選択することができる。このようにして、解除方式設定部１０１は、ユーザ操作に基づいて、ロック解除方式を、パスワード認証よりも電力消費量が小さいロック解除方式へと変更することができる。
【００９８】
図８（Ｃ−１）のロック解除方式選択画面にてロック解除方式の選択を受け付けると、解除方式設定部１０１は、新たに選択されたロック解除方式を示す信号をロック解除部１０２へ出力することができる。ロック解除部１０２は、新たに選択されたロック解除方式を用いてロックを解除することができる。たとえば指紋認証が新たに選択された場合、図８（Ｃ−２）に示すように、ロック解除部１０２は、指紋の受付画面をディスプレイ２に表示させることができる。
【００９９】
バッテリ残量が図６の領域４に属している間は指紋認証が有効であるため、ロック解除部１０２は、指紋認証を用いてロックを解除することができる。したがって、解除方式設定部１０１は、予め決められた操作をユーザから受け付けると、図８（Ｃ−１）のロック解除方式選択画面の表示をスキップして、図８（Ｃ−２）の指紋の受付画面をディスプレイ２に表示させることができる。
【０１００】
（ロック解除処理）
図９は、携帯端末１におけるロック解除処理を説明するフローチャートである。図９のフローチャートに従うロック解除処理は、携帯端末１が予め決められた操作、たとえば画面の表示をオフからオンにする操作を受け付けることにより、プロセッサ１０によって実行されることができる。
【０１０１】
図９を参照して、プロセッサ１０は、最初に、ステップＳ１１により、携帯端末１が省電力優先モードに設定されているか否かを判定することができる。携帯端末１が省電力優先モードに設定されていない、すなわち携帯端末１がセキュリティ優先モードに設定されている場合（Ｓ１１のＮＯ判定時）、プロセッサ１０はステップＳ１７に進み、ユーザが設定したロック解除方式を用いてロックを解除することができる。プロセッサ１０は、ステップＳ１７にて、ユーザが設定したロック解除方式でのユーザ認証が成功すると（Ｓ１７のＹＥＳ判定時）、ステップＳ１８によりロックを解除する。一方、ユーザの認証が失敗した場合には（Ｓ１７のＮＯ判定時）、プロセッサ１０はロックを解除しない。
【０１０２】
これに対して、携帯端末１が省電力優先モードに設定されている場合（Ｓ１１のＹＥＳ判定時）、プロセッサ１０は、ステップＳ１２に進み、ロック解除方式が選択されているか否かを判定することができる。具体的には、プロセッサ１０は、ロック解除方式選択画面（図８参照）にてロック解除方式の選択を受け付けたか否かを判定することができる。
【０１０３】
ロック解除方式が選択されていない場合（Ｓ１２のＮＯ判定時）、プロセッサ１０は、ステップＳ１８により、ロック解除方式選択画面をディスプレイ２に表示させることができる。ステップＳ１９では、プロセッサ１０は、ロック解除方式選択画面に、無効にされたロック解除方式を示す情報を表示するとともに、無効にされたロック解除方式に対するユーザの操作入力を拒否することができる。
【０１０４】
プロセッサ１０は、ステップＳ２０により、ロック解除方式選択画面にてロック解除方式の選択を受け付けたか否かを判定することができる。ロック解除方式の選択を受け付けると（Ｓ２０のＹＥＳ判定時）、プロセッサ１０はステップＳ１７に進み、ユーザが選択したロック解除方式を用いてロックを解除することができる。一方、ロック解除方式が選択されていない場合（Ｓ２０のＮＯ判定時）、プロセッサ１０は処理をステップＳ１９に戻すことができる。
【０１０５】
ステップＳ１２にてロック解除方式が選択されている場合（Ｓ１２のＹＥＳ判定時）、プロセッサ１０は、続いてステップＳ１３により、ロック解除方式の変更が必要であるか否かを判定することができる。具体的には、プロセッサ１０は、現在使用中のロック解除方式が無効にされたか否かを判定することができる。
【０１０６】
現在使用中のロック解除方式が有効であるため、ロック解除方式の変更が必要でないと判定された場合（Ｓ１３のＮＯ判定時）、プロセッサ１０は、ステップＳ１７に進み、選択中のロック解除モードを用いてロックを解除することができる。
【０１０７】
これに対して、現在使用中のロック解除方式が無効にされたことによってロック解除方式の変更が必要であると判定された場合（Ｓ１３のＹＥＳ判定時）、プロセッサ１０は、ステップＳ１４により、ロック解除方式選択画面（図８参照）をディスプレイ２に表示させることができる。ステップＳ１４では、ステップＳ１９と同様に、プロセッサ１０は、ロック解除方式選択画面に、無効にされたロック解除方式を示す情報を表示するとともに、無効にされたロック解除方式に対するユーザの操作入力を拒否することができる。
【０１０８】
ステップＳ１４にてロック解除方式選択画面を表示させると、プロセッサ１０は、ステップＳ１５により、ロック解除方式が選択されたか否かを判定することができる。ロック解除方式が選択された場合（Ｓ１５のＹＥＳ判定時）、プロセッサ１０は、ステップＳ１６により、ロック解除に用いるロック解除方式を、新たに選択されたロック解除方式に変更する。プロセッサ１０は、ステップＳ１７により、変更後のロック解除方式を用いてロックを解除することができる。プロセッサ１０は、ステップＳ１７にて、ユーザが設定したロック解除方式でのユーザ認証が成功すると（Ｓ１７のＹＥＳ判定時）、ステップＳ１８によりロックを解除する。ユーザの認証が失敗した場合（Ｓ１７のＮＯ判定時）、プロセッサ１０はロックを解除しない。一方、ステップＳ１５にてロック解除方式が選択されていない場合（Ｓ１５のＮＯ判定時）、プロセッサ１０は処理をステップＳ１４に戻すことができる。
【０１０９】
以上のように、携帯端末１は、バッテリ残量に基づいて、携帯端末１が使用することができる複数のロック解除方式の各々について有効および無効を設定することができる。特に、携帯端末１は、バッテリ残量に基づいて、電力消費量が大きいものから順に選択的に無効にすることにより、無効にされたロック解除方式はその後使用ができなくなるため、ロック解除によるバッテリ１５の電力消費を抑制することができる。この結果、携帯端末１の連続使用可能時間を長時間化することができる。
【０１１０】
［第２の実施の形態］
第２の実施の形態では、現在使用中のロック解除方式が無効にされたときに、携帯端末１が自動的にロック解除方式を変更する構成について説明する。なお、第２の実施の形態の携帯端末１のハードウェア構成および制御構成は、図１および図５とそれぞれ同様であるので詳細な説明は繰り返さない。
【０１１１】
（ロック解除方式の変更）
図１０は、携帯端末１がロック解除方式を自動的に変更するときの操作画面の遷移の一例を示す図である。図１０に示す操作画面の遷移は、図４（２−２）に示したロック解除方式設定画面に対応付けられている。すなわち、ユーザがロック解除機能を有効に設定する際に、省電力優先モードにて使用するロック解除方式として、顔認証、パターン認証、パスワード認証、指紋認証、音声認証、位置認証およびスワイプ操作の計７種類のロック解除方式が設定されているものとする。
【０１１２】
図１０（Ａ）は、バッテリ残量がＸ１％以上１００％以下であるときに、ディスプレイ２に表示される操作画面の一例を示す。解除方式設定部１０１（図５）は、携帯端末１がスリープ状態のときに、予め決められた操作をユーザから受け付けると、ロック解除方式選択画面をディスプレイ２に表示させることができる。
【０１１３】
図１０（Ａ−１）は、ロック解除方式選択画面の表示例を示す。ロック解除方式選択画面には、計７種類のロック解除方式が並べて表示される。バッテリ残量が図６のテーブルの領域１に属するため、解除方式設定部１０１は、全てのロック解除方式を有効にすることができる。したがって、ユーザは、ロック解除方式選択画面に表示された７種類のロック解除方式のうち、いずれか１つのロック解除方式を選択することができる。
【０１１４】
ロック解除方式の選択を受け付けると、解除方式設定部１０１は、選択されたロック解除方式を示す信号をロック解除部１０２（図５）へ出力する。ロック解除部１０２は、選択されたロック解除方式を用いてロックを解除することができる。たとえば図１０（Ａ−１）のロック解除方式選択画面上で顔認証が選択された場合、図１０（Ａ−２）に示すように、ロック解除部１０２は、顔画像の受付画面をディスプレイ２に表示させることができる。
【０１１５】
バッテリ残量が図６の領域１に属している間は顔認証が有効であるため、ロック解除部１０２は、顔認証を用いてロックを解除することができる。したがって、解除方式設定部１０１は、予め決められた操作をユーザから受け付けると、図１０（Ａ−１）のロック解除方式選択画面の表示をスキップして、図１０（Ａ−２）の顔画像の受付画面をディスプレイ２に表示させることができる。
【０１１６】
バッテリ残量が低下してＸ１％を下回ると、解除方式設定部１０１は顔認証を無効にすることができる。これにより、現在使用中の顔認証が使用できなくなるため、解除方式設定部１０１はロック解除方式を自動的に変更することができる。具体的には、解除方式設定部１０１は、予め設定された２以上のロック解除方式のうち、無効とされたロック解除方式の次に電力消費量が大きいロック解除方式に変更することができる。図１０の例では、解除方式設定部１０１は、顔認証を除いた６種類のロック解除方式のうち、顔認証の次に電力消費量が大きいパターン認証に変更することができる。
【０１１７】
解除方式設定部１０１は、携帯端末１がスリープ状態のときに、予め決められた操作をユーザから受け付けると、ロック解除方式の変更を知らせるための画面（以下、「ロック解除方式変更画面」とも称する。）をディスプレイ２に表示させることができる。
【０１１８】
図１０（Ｂ−１）は、バッテリ残量がＸ２％以上Ｘ１％未満であるときに、ディスプレイ２に表示されるロック解除方式変更画面の一例を示す。解除方式設定部１０１は、ロック解除方式変更画面に、顔認証が無効である旨を表示させることができる。解除方式設定部１０１はさらに、ロック解除方式が顔認証からパターン認証に変更された旨を表示させることができる。このようにして、解除方式設定部１０１は、ロック解除方式を、顔認証よりも電力消費量が小さいロック解除方式へと変更することができる。
【０１１９】
ロック解除方式をパターン認証に変更すると、解除方式設定部１０１は、図１０（Ｂ−２）のパターン認証画面をディスプレイ２に表示させることができる。
【０１２０】
バッテリ残量が図６の領域２に属している間はパターン認証が有効であるため、ロック解除部１０２は、パターン認証を用いてロックを解除することができる。したがって、解除方式設定部１０１は、予め決められた操作をユーザから受け付けると、図１０（Ｂ−１）のロック解除方式変更画面の表示をスキップして、図１０（Ｂ−２）のパターン認証画面をディスプレイ２に表示させることができる。
【０１２１】
バッテリ残量が低下してＸ２％を下回ると、解除方式設定部１０１はパターン認証を無効にする。これにより、現在使用中のパターン認証が使用できなくなるため、解除方式設定部１０１は、再度ロック解除方式を変更することができる。具体的には、解除方式設定部１０１は、予め設定された２以上のロック解除方式のうち、新たに無効とされたロック解除方式の次に電力消費量が大きいロック解除方式に変更することができる。図１０の例では、解除方式設定部１０１は、顔認証およびパターン認証を除いた５種類のロック解除方式のうち、パターン認証の次に電力消費量が大きいパスワード認証に変更することができる。
【０１２２】
解除方式設定部１０１は、携帯端末１がスリープ状態のときに、予め決められた操作をユーザから受け付けると、ロック解除方式変更画面をディスプレイ２に表示させることができる。図１０（Ｃ−１）は、バッテリ残量がＸ３％以上Ｘ２％未満であるときに、ディスプレイ２に表示されるロック解除方式変更画面の一例を示す。解除方式設定部１０１は、ロック解除方式変更画面に、パターン認証が無効である旨を表示させることができる。解除方式設定部１０１はさらに、ロック解除方式がパターン認証からパスワード認証に変更された旨を表示させることができる。このようにして、解除方式設定部１０１は、ロック解除方式を、パターン認証よりも電力消費量が小さいロック解除方式へと変更することができる。
【０１２３】
ロック解除方式をパスワード認証に変更すると、解除方式設定部１０１は、図１０（Ｃ−２）のパスワードの受付画面をディスプレイ２に表示させることができる。バッテリ残量が図６の領域３に属している間はパスワード認証が有効であるため、ロック解除部１０２は、パスワード認証を用いてロックを解除することができる。したがって、解除方式設定部１０１は、予め決められた操作をユーザから受け付けると、図１０（Ｃ−１）のロック解除方式変更画面の表示をスキップして、図１０（Ｃ−２）のパスワードの受付画面をディスプレイ２に表示させることができる。
【０１２４】
（ロック解除処理）
図１１は、携帯端末１におけるロック解除処理を説明するフローチャートである。図１１のフローチャートに従うロック解除処理は、携帯端末１が予め決められた操作、たとえば画面の表示をオフからオンにする操作を受け付けることにより、プロセッサ１０によって実行されることができる。
【０１２５】
図１１を参照して、プロセッサ１０は、最初に、ステップＳ２１により、携帯端末１が省電力優先モードに設定されているか否かを判定する。携帯端末１が省電力優先モードに設定されていない、すなわち携帯端末１がセキュリティ優先モードに設定されている場合（Ｓ２１のＮＯ判定時）、プロセッサ１０はステップＳ２６に進み、ユーザが設定したロック解除方式を用いてロックを解除することができる。
【０１２６】
これに対して、携帯端末１が省電力優先モードに設定されている場合（Ｓ２１のＹＥＳ判定時）、プロセッサ１０は、ステップＳ２２に進み、ロック解除方式が選択されているか否かを判定することができる。具体的には、プロセッサ１０は、ロック解除方式選択画面（図１０（Ａ−１）参照）にてロック解除方式の選択を受け付けたか否かを判定することができる。
【０１２７】
ロック解除方式が選択されていない場合（Ｓ２２のＮＯ判定時）、プロセッサ１０は、ステップＳ２８により、ロック解除方式選択画面をディスプレイ２に表示させることができる。プロセッサ１０は、ロック解除方式選択画面に、無効にされたロック解除方式を示す情報を表示することができる。プロセッサ１０はまた、ロック解除方式選択画面において、無効にされたロック解除方式に対するユーザの操作入力を拒否することができる。
【０１２８】
プロセッサ１０は、ステップＳ２９により、ロック解除方式選択画面にてロック解除方式の選択を受け付けたか否かを判定することができる。ロック解除方式の選択を受け付けると（Ｓ２９のＹＥＳ判定時）、プロセッサ１０はステップＳ２６に進み、ユーザが選択したロック解除方式を用いてロックを解除することができる。プロセッサ１０は、ステップＳ２６にて、ユーザが設定したロック解除方式でのユーザ認証が成功すると（Ｓ２６６のＹＥＳ判定時）、ステップＳ２７によりロックを解除する。ユーザの認証が失敗した場合（Ｓ２６のＮＯ判定時）、プロセッサ１０はロックを解除しない。ステップＳ２９にてロック解除方式が選択されていない場合（Ｓ２９のＮＯ判定時）、プロセッサ１０は処理をステップＳ２８に戻すことができる。
【０１２９】
ステップＳ２２にてロック解除方式が選択されている場合（Ｓ２２のＹＥＳ判定時）、プロセッサ１０は、続いてステップＳ２３により、ロック解除方式の変更が必要であるか否かを判定することができる。具体的には、プロセッサ１０は、現在使用中のロック解除方式が無効にされたか否かを判定することができる。
【０１３０】
現在使用中のロック解除方式が有効であるため、ロック解除方式の変更が必要でないと判定された場合（Ｓ２３のＮＯ判定時）、プロセッサ１０は、ステップＳ２６に進み、選択中のロック解除モードを用いてロックを解除することができる。
【０１３１】
これに対して、現在使用中のロック解除方式が無効にされたことによってロック解除方式の変更が必要であると判定された場合（Ｓ２３のＹＥＳ判定時）、プロセッサ１０は、ステップＳ２４により、ロック解除方式を変更することができる。具体的には、プロセッサ１０は、無効にされたロック解除方式の次に電力消費量が大きいロック解除方式に変更することができる。
【０１３２】
ステップＳ２５では、プロセッサ１０は、ロック解除方式変更画面をディスプレイ２に表示させることができる。プロセッサ１０は、ロック解除方式変更画面に、無効にされたロック解除方式および変更後のロック解除方式を示す情報を表示することができる。
【０１３３】
ステップＳ２５にてロック解除方式変更画面を表示させると、プロセッサ１０は、ステップＳ２６により、変更後のロック解除方式を用いてロックを解除することができる。プロセッサ１０は、ステップＳ２６にて、ユーザが設定したロック解除方式でのユーザ認証が成功すると（Ｓ２６のＹＥＳ判定時）、ステップＳ２７によりロックを解除する。ユーザの認証が失敗した場合（Ｓ２６のＮＯ判定時）、プロセッサ１０はロックを解除しない。
【０１３４】
以上のように、携帯端末１は、現在使用中のロック解除方式が無効にされた場合、ロック解除に用いるロック解除方式を、無効にされたロック解除方式の次に電力消費量が大きいロック解除方式に自動的に変更することができる。これは、ロック解除方式にはセキュリティ強度が高くなるほど、電力消費量が大きくなるという傾向があることに基づいている。無効にされたロック解除方式の次に電力消費量が大きいロック解除方式に変更することで、セキュリティ強度の大幅な低下を抑えつつ、ロック解除によるバッテリ１５の電力消費を抑制することが可能となる。よって、ロック解除のセキュリティ強度の低下を抑えつつ、携帯端末１の連続使用可能時間を長時間化することができる。
【０１３５】
［第２の実施の形態の変形例１］
第２の実施の形態の携帯端末１は、ロック解除方式を変更する場面において、無効とされたロック解除方式の次にセキュリティ強度が高いロック解除方式に変更してもよい。
【０１３６】
図１２は、プロセッサ１０がロック解除方式を自動的に変更するときの操作画面の遷移の他の例を示す図である。図１２に示す操作画面の遷移は、図４（２−２）に示したロック解除方式設定画面に対応付けられている。すなわち、省電力優先モードにて使用するロック解除方式として、顔認証、パターン認証、パスワード認証、指紋認証、音声認証、位置認証およびスワイプ操作の計７種類のロック解除方式が予め設定されているものとする。
【０１３７】
図１２（Ａ）は、バッテリ残量がＸ１％以上１００％以下であるときに、ディスプレイ２に表示される操作画面の一例を示す。解除方式設定部１０１（図５）は、携帯端末１がスリープ状態のときに、予め決められた操作をユーザから受け付けると、ロック解除方式選択画面をディスプレイ２に表示させることができる。
【０１３８】
図１２（Ａ−１）は、ロック解除方式選択画面の表示例を示す。図１２（Ａ−２）は、図１２（Ａ−１）のロック解除方式選択画面上で顔認証が選択された場合の操作画面の表示例を示す。図１２（Ａ−１），（Ａ−２）の操作画面は、図１０（Ａ−１），（Ａ−２）に示した操作画面とそれぞれ同じである。
【０１３９】
バッテリ残量が図６の領域１に属している間は顔認証が有効であるため、ロック解除部１０２は、顔認証を用いてロックを解除することができる。したがって、解除方式設定部１０１は、予め決められた操作をユーザから受け付けると、図１２（Ａ−１）のロック解除方式選択画面の表示をスキップして、図１２（Ａ−２）の顔画像の受付画面をディスプレイ２に表示させることができる。
【０１４０】
バッテリ残量が低下してＸ１％を下回ると、解除方式設定部１０１は顔認証を無効にすることができる。これにより、現在使用中の顔認証が使用できなくなるため、解除方式設定部１０１はロック解除方式を変更することができる。具体的には、解除方式設定部１０１は、予め設定された２以上のロック解除方式のうち、無効とされたロック解除方式の次にセキュリティ強度が高いロック解除方式に変更することができる。図１２の例では、解除方式設定部１０１は、顔認証を除いた６種類のロック解除方式のうち、顔認証の次にセキュリティ強度が高い指紋認証に変更することができる。
【０１４１】
解除方式設定部１０１は、携帯端末１がスリープ状態のときに、予め決められた操作をユーザから受け付けると、ロック解除方式変更画面をディスプレイ２に表示させることができる。図１２（Ｂ−１）は、バッテリ残量がＸ２％以上Ｘ１％未満であるときに、ディスプレイ２に表示されるロック解除方式変更画面の一例を示す。解除方式設定部１０１は、ロック解除方式変更画面に、顔認証が無効である旨を表示させることができる。解除方式設定部１０１はさらに、ロック解除に用いるロック解除方式が顔認証から指紋認証に変更された旨を表示させることができる。このようにして、解除方式設定部１０１は、ロック解除方式を、顔認証よりも電力消費量が小さいロック解除方式へと自動的に変更することができる。
【０１４２】
ロック解除方式を指紋認証に変更すると、解除方式設定部１０１は、図１２（Ｂ−２）の指紋の受付画面をディスプレイ２に表示させることができる。バッテリ残量が図６の領域２〜４のいずれかに属している間は指紋認証が有効であるため、ロック解除部１０２は、指紋認証を用いてロックを解除することができる。したがって、解除方式設定部１０１は、予め決められた操作をユーザから受け付けると、図１２（Ｂ−１）のロック解除方式変更画面の表示をスキップして、図１２（Ｂ−２）の指紋の受付画面をディスプレイ２に表示させることができる。
【０１４３】
バッテリ残量が低下してＸ４％を下回ると、解除方式設定部１０１は指紋認証を無効にする。これにより、現在使用中の指紋認証が使用できなくなるため、解除方式設定部１０１は、再度ロック解除方式を変更することができる。具体的には、解除方式設定部１０１は、予め設定された２以上のロック解除方式のうち、新たに無効とされたロック解除方式の次にセキュリティ強度が大きいロック解除方式に変更することができる。図１２の例では、解除方式設定部１０１は、顔認証、パターン認証、パスワード認証および指紋認証を除いた３種類のロック解除方式のうち、指紋認証の次にセキュリティ強度が高い音声認証に変更することができる。
【０１４４】
解除方式設定部１０１は、携帯端末１がスリープ状態のときに、予め決められた操作をユーザから受け付けると、ロック解除方式変更画面をディスプレイ２に表示させることができる。図１２（Ｃ−１）は、バッテリ残量がＸ５％以上Ｘ４％未満であるときに、ディスプレイ２に表示されるロック解除方式変更画面の一例を示す。解除方式設定部１０１は、ロック解除方式変更画面に、指紋認証が無効である旨を表示させることができる。解除方式設定部１０１はさらに、ロック解除に用いるロック解除方式が指紋認証から音声認証に変更された旨を表示させることができる。このようにして、解除方式設定部１０１は、ロック解除方式を、指紋認証よりも電力消費量が小さいロック解除方式へと自動的に変更することができる。
【０１４５】
ロック解除方式を音声認証に変更すると、解除方式設定部１０１は、図１２（Ｃ−２）の音声入力の受付画面をディスプレイ２に表示させることができる。バッテリ残量が図６の領域５に属している間は音声認証が有効であるため、ロック解除部１０２は、音声認証を用いてロックを解除することができる。したがって、解除方式設定部１０１は、予め決められた操作をユーザから受け付けると、図１２（Ｃ−１）のロック解除方式変更画面の表示をスキップして、図１２（Ｃ−２）の音声入力の受付画面をディスプレイ２に表示させることができる。
【０１４６】
以上のように、携帯端末１は、現在使用中のロック解除方式が無効にされた場合、ロック解除に用いるロック解除方式を、無効にされたロック解除方式の次にセキュリティ強度が高いロック解除方式に自動的に変更することができる。このようにすれば、セキュリティ強度の大幅な低下を抑えつつ、ロック解除によるバッテリ１５の電力消費を抑制することが可能となる。よって、ロック解除のセキュリティ強度の低下を抑えつつ、携帯端末１の連続使用可能時間を長時間化することができる。
【０１４７】
［第２の実施の形態の変形例２］
第２の実施の形態の携帯端末１は、ロック解除方式を変更する場面において、無効とされたロック解除方式を除くロック解除方式のうち、電力消費量が最も小さいロック解除方式に変更してもよい。
【０１４８】
図１３は、プロセッサ１０がロック解除方式を自動的に変更するときの操作画面の遷移の他の例を示す図である。図１３に示す操作画面の遷移は、図４（２−２）に示したロック解除方式設定画面に対応付けられている。すなわち、省電力優先モードにて使用するロック解除方式として、顔認証、パターン認証、パスワード認証、指紋認証、音声認証、位置認証およびスワイプ操作の計７種類のロック解除方式が予め設定されているものとする。
【０１４９】
図１３（Ａ）は、バッテリ残量がＸ１％以上１００％以下であるときに、ディスプレイ２に表示される操作画面の一例を示す。解除方式設定部１０１（図５）は、携帯端末１がスリープ状態のときに、予め決められた操作をユーザから受け付けると、ロック解除方式選択画面をディスプレイ２に表示させることができる。
【０１５０】
図１３（Ａ−１）は、ロック解除方式選択画面の表示例を示す。図１３（Ａ−２）は、図１３（Ａ−１）のロック解除方式選択画面上で顔認証が選択された場合の操作画面の表示例を示す。図１３（Ａ−１），（Ａ−２）の操作画面は、図１０（Ａ−１），（Ａ−２）に示した操作画面とそれぞれ同じである。
【０１５１】
バッテリ残量が図６の領域１に属している間は顔認証が有効であるため、ロック解除部１０２は、顔認証を用いてロックを解除することができる。したがって、解除方式設定部１０１は、予め決められた操作をユーザから受け付けると、図１３（Ａ−１）のロック解除方式選択画面の表示をスキップして、図１３（Ａ−２）の顔画像の受付画面をディスプレイ２に表示させることができる。
【０１５２】
バッテリ残量が低下してＸ１％を下回ると、解除方式設定部１０１は顔認証を無効にすることができる。これにより、現在使用中の顔認証が使用できなくなるため、解除方式設定部１０１はロック解除方式を変更することができる。具体的には、解除方式設定部１０１は、予め設定された２以上のロック解除方式のうち、電力消費量が最も小さいロック解除方式に変更することができる。図１３の例では、解除方式設定部１０１は、顔認証を除いた６種類のロック解除方式のうち、電力消費量が最も小さいスワイプ操作に変更することができる。
【０１５３】
解除方式設定部１０１は、携帯端末１がスリープ状態のときに、予め決められた操作をユーザから受け付けると、ロック解除方式変更画面をディスプレイ２に表示させることができる。図１３（Ｂ−１）は、バッテリ残量がＸ１％を下回ったときに、ディスプレイ２に表示されるロック解除方式変更画面の一例を示す。解除方式設定部１０１は、ロック解除方式変更画面に、顔認証が無効である旨を表示させることができる。解除方式設定部１０１はさらに、ロック解除方式が顔認証からスワイプ操作に変更された旨を表示させることができる。このようにして、解除方式設定部１０１は、ロック解除方式を、顔認証よりも電力消費量が小さいロック解除方式へと自動的に変更することができる。
【０１５４】
ロック解除方式をスワイプ操作に変更すると、解除方式設定部１０１は、図１３（Ｂ−２）のスワイプ操作の受付画面をディスプレイ２に表示させることができる。バッテリ残量がさらに低下してもスワイプ操作は有効に保たれるため、ロック解除部１０２は、スワイプ操作を用いてロックを解除することができる。したがって、解除方式設定部１０１は、予め決められた操作をユーザから受け付けると、図１３（Ｂ−１）のロック解除方式変更画面の表示をスキップして、図１３（Ｂ−２）のスワイプ操作の受付画面をディスプレイ２に表示させることができる。
【０１５５】
以上のように、携帯端末１は、現在使用中のロック解除方式が無効にされた場合、ロック解除に用いるロック解除方式を、無効にされたロック解除方式を除く残りのロック解除方式のうち、電力消費量が最も小さいロック解除方式に自動的に変更することができる。このようにすれば、セキュリティ強度の低下を招くものの、ロック解除によるバッテリ１５の電力消費を抑制する効果を高めることができる。よって、携帯端末１の連続使用可能時間の長時間化を強化することができる。
【０１５６】
［第３の実施の形態］
第３の実施の形態では、バッテリが充電中であるときには、ロック解除方式を無効にしない、すなわち、全てのロック解除方式を有効にする構成について説明する。なお、第３の実施の形態の携帯端末１のハードウェア構成および制御構成は、図１および図５とそれぞれ同様であるので詳細な説明は繰り返さない。
【０１５７】
図１４は、第３の実施の形態の携帯端末１における無効処理を説明するフローチャートである。図１４のフローチャートに従う無効処理は、プロセッサ１０によって所定周期毎に繰り返し実行されることができる。
【０１５８】
図１４を参照して、プロセッサ１０は、図７と同様のステップＳ０１〜Ｓ０３により、電源制御部１４からバッテリ１５の残量を取得すると、取得したバッテリ残量が閾値Ｘ１％未満であるか否か、および携帯端末１が省電力優先モードに設定されているか否かを判定することができる。
【０１５９】
バッテリ残量が閾値Ｘ１％未満であって、かつ、携帯端末１が省電力優先モードに設定されている場合、プロセッサ１０は、ステップＳ０３１に進み、バッテリ１５が充電中であるか否かを判定することができる。バッテリ１５が充電中である場合（Ｓ０３１のＹＥＳ判定時）、プロセッサ１０は処理を終了することができる。
【０１６０】
これに対して、バッテリ１５が充電中でない場合（Ｓ０３１のＮＯ判定時）、プロセッサ１０は、図７と同様のステップＳ０４，Ｓ０５により、取得したバッテリ残量に基づいて無効にするロック解除方式を決定する構成とすることができる。
【０１６１】
以上のように、携帯端末１は、バッテリ１５が充電中であるときには、電力消費の制限を解除して、全てのロック解除方式を有効にすることができる。これによれば、省電力優先モードであっても、バッテリ１５の充電中であれば、セキュリティ優先モードと同様に、ユーザが選択したロック解除方式を用いることができる。したがって、バッテリの充電中は、セキュリティ強度の高いロック解除方式を用いてロックを解除することができるため、セキュリティ強度を保つことができる。
【０１６２】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１６３】
１  携帯端末、２  ディスプレイ、３  タッチパネル、４  物理操作キー、５  カメラ、６  マイク、７  スピーカ、８  指紋認証センサ、１０  プロセッサ、１１  アンテナ、１２  無線通信回路、１３  メモリ、１４  電源制御部、１５  バッテリ、１６  ＧＰＳ受信機、１７  近距離無線通信回路、１８  音声処理回路、１０１  解除方式設定部、１０２  ロック解除部、１３０  制御プログラム記憶部、１３１  解除モード情報、１３２  解除方式情報、１３３  認証情報。
【図１】
2017152947.tif 000003
【図２】
2017152947.tif 000004
【図３】
2017152947.tif 000005
【図４】
2017152947.tif 000006
【図５】
2017152947.tif 000007
【図６】
2017152947.tif 000008
【図７】
2017152947.tif 000009
【図８】
2017152947.tif 000010
【図９】
2017152947.tif 000011
【図１０】
2017152947.tif 000012
【図１１】
2017152947.tif 000013
【図１２】
2017152947.tif 000014
【図１３】
2017152947.tif 000015
【図１４】
2017152947.tif 000016